(57)【要約】【課題】清掃具本体に取り付けられた粘着テープロールをワンタッチで安全に着脱することができる粘着式クリーナを提供する。【解決手段】清掃具本体３の支持ローラ６の両端に設けられた粘着テープロール２の抜け止め用のストッパー６３，６４のいずれか一方に、その係着状態をワンタッチで解除する解除手段としてのツマミ部７を設ける。【選択図】図２
2011087684.tif 000002
【特許請求の範囲】
【請求項１】
基材の一方の面にゴミ捕捉用の粘着面が形成された粘着テープを、その粘着面が外側を向くように巻回してなる粘着テープロールと、上記粘着テープロールを回転可能に支持する支持ローラを有する清掃具本体とを備える粘着式クリーナにおいて、
上記支持ローラは、上記粘着テープロールの内周面に沿って挿通可能な筒状を呈し、上記支持ローラの上記粘着テープロールが差し込まれる一端側には、上記支持ローラの軸線方向に突設され、弾性変形可能な少なくとも２つの弾性片と、上記各弾性片の自由端側から外径方向に向けて突設された係止爪とからなるストッパーを有し、上記各弾性片の自由端側を上記粘着テープロールの内径よりも内側に縮径させて上記係止爪による係着を解除するための解除手段を備えることを特徴とする粘着式クリーナ。
【請求項２】
上記解除手段は、上記各弾性片の自由端側の互いに対向する内周面に設けられた指挿通用のツマミ部を有し、上記ツマミ部を互いに近接することにより、上記弾性片の自由端側が縮径することを特徴とする請求項１に記載の粘着式クリーナ。
【請求項３】
上記ツマミ部は、軸線方向の端面の高さが、外径側から内径側の中心に向かうにつれて、漸次低くなるように傾斜していることを特徴とする請求項２に記載の粘着式クリーナ。
【請求項４】
上記解除手段は、上記各弾性片の自由端同士を連結する連結板と、上記連結板を上記支持ローラの軸線方向に沿って弾性変形させるための操作部とを備えていることを特徴とする請求項１に記載の粘着式クリーナ。
【請求項５】
上記操作部は、上記連結板の一部に一体的に形成された操作ボタンを有し、上記操作ボタンを上記軸線方向に沿って押圧することにより、上記連結板が上記軸線方向に沿って内側に弾性変形することを特徴とする請求項４に記載の粘着式クリーナ。
【請求項６】
上記操作部は、上記連結板の一部には、指を引っ掛けるためのプルタブ部が設けられており、上記プルタブ部を指で引っ張ることにより、上記連結板が上記軸線方向に沿って外側に弾性変形することを特徴とする請求項４に記載の粘着式クリーナ。
【請求項７】
上記操作部は、上記連結板の一部を貫通するように、上記支持ローラの軸線方向に沿って突設された支軸と、上記支軸の先端側に回動自在に取り付けられた操作レバーとからなり、上記操作レバーは、一端側が上記連結板の一部を押圧可能に取り付けられていることを特徴とする請求項４に記載の粘着式クリーナ。
【請求項８】
上記操作部は、上記連結板の一部を貫通するように、上記支持ローラの軸線方向に沿って同軸的に突設された支軸と、上記支軸に沿って移動可能に螺合されるナットとからなり、上記支軸の一部には、上記ナットが螺合されるねじ山が設けられていることを特徴とする請求項４に記載の粘着式クリーナ。
【請求項９】
上記操作部は、上記連結板を直線状態から屈曲させるための操作レバーを備えていることを特徴とする請求項４に記載の粘着式クリーナ。
【請求項１０】
上記清掃具本体は、手によって把持されるグリップ部と、上記グリップ部の一端から引き出されるシャフトとを含み、上記支持ローラの基端側には、上記シャフトの他端が同軸的に連結されていることを特徴とする請求項１ないし９のいずれか１項に記載の粘着式クリーナ。
【請求項１１】
上記清掃具本体は、手によって把持されるグリップをさらに備え、上記グリップの一端側に上記支持ローラの基端側が直に連結されていることを特徴とする請求項１ないし９のいずれか１項に記載の粘着式クリーナ。
【発明の詳細な説明】
【技術分野】
【０００１】
本発明は、ゴミ捕捉用の粘着面が表側を向くように巻回された粘着テープロールを用いて被清掃面上を清掃する粘着式クリーナに関し、さらに詳しく言えば、ワンタッチで粘着テープロールを清掃具本体から着脱することができる粘着式クリーナに関する。
【背景技術】
【０００２】
例えば特許文献１に示すように、粘着式クリーナは、基材の一方の面にゴミ捕捉用の粘着面が形成された粘着テープを、その粘着面が表側を向くようにロール状に巻回した粘着テープロールと、同粘着テープロールを回動可能に支持し、手によって把持されるグリップ部を備えた清掃具本体とからなり、カーペットなどの被清掃面上で粘着テープロールを転がすことによって、被清掃面上のゴミを粘着面で補足するようにしている。
【０００３】
清掃具本体には、粘着テープロールを支持するための支持ローラが設けられている。特許文献１において、支持ローラは、グリップ部から引き出された金属製シャフトの一端に回動自在に取り付けられた樹脂製の筒体からなり、支持ローラの自由端側からに粘着テープロールを差し込むことで、支持ローラに保持されるようになっている。
【０００４】
通常、支持ローラの両端には、粘着テープロール抜け止め用のストッパーが設けられている。ストッパーは、支持ローラの端縁の一部を外径方向に向かって爪状を突設されている。これによれば、ストッパーが、粘着テープロールの側面に係止されることで、粘着テープロールの軸方向への移動が規制されるようになっている。
【０００５】
しかしながら、従来の清掃具本体には、次のような問題があった。すなわち、従来の清掃具本体は、粘着テープロールを最後まで使い切ることで、紙管が支持ローラから取り外れるようになっており、粘着テープが残った状態で取り外すことは難しかった。
【０００６】
とりわけ、最近の家屋では、カーペットや畳など以外にフローリングやコルクボードなど多種の床材が用いられており、１つの清掃具本体に用途に応じた粘着テープロールを用いる場合が増えてきた。
【０００７】
また、従来のストッパーは、粘着テープロールの差し込み方向にテーパーが設けられ、抜き取り方向には返しが設けられていたため、使用中での交換が難しいだけでなく、強引に抜き取ろうとした場合、支持ローラが破損したり、勢い余って抜けた粘着テープロールが指にあたって怪我をしてしまうおそれもある。
【先行技術文献】
【特許文献】
【０００８】
【特許文献１】特開２００３−２６５４０１号公報
【発明の概要】
【発明が解決しようとする課題】
【０００９】
そこで、本発明は、上述した課題を解決するためになされたものであって、その目的は、清掃具本体に取り付けられた粘着テープロールをワンタッチで安全に着脱することができる粘着式クリーナを提供することにある。
【課題を解決するための手段】
【００１０】
上述した目的を達成するため、本発明は、以下に示すいくつかの特徴を備えている。請求項１に記載の発明は、基材の一方の面にゴミ捕捉用の粘着面が形成された粘着テープを、その粘着面が外側を向くように巻回してなる粘着テープロールと、上記粘着テープロールを回転可能に支持する支持ローラを有する清掃具本体とを備える粘着式クリーナにおいて、上記支持ローラは、上記粘着テープロールの内周面に沿って挿通可能な筒状を呈し、上記支持ローラの上記粘着テープロールが差し込まれる一端側には、上記支持ローラの軸線方向に突設され、弾性変形可能な少なくとも２つの弾性片と、上記各弾性片の自由端側から外径方向に向けて突設された係止爪とからなるストッパーを有し、上記ストッパーには、上記各弾性片の自由端側を上記粘着テープロールの内径よりも内側に縮径させて上記係止爪による係着を解除するための解除手段を備えることを特徴としている。
【００１１】
請求項２に記載の発明は、上記請求項１において、上記解除手段は、上記各弾性片の自由端側の互いに対向する内周面に設けられた指挿通用のツマミ部を有し、上記ツマミ部を互いに近接することにより、上記弾性片の自由端側が縮径することを特徴としている。
【００１２】
請求項３に記載の発明は、上記請求項２において、上記ツマミ部は、軸線方向の端面の高さが、外径側から内径側の中心に向かうにつれて、漸次低くなるように傾斜していることを特徴としている。
【００１３】
請求項４に記載の発明は、上記請求項１において、上記解除手段は、上記各弾性片の自由端同士を連結する連結板と、上記連結板を上記支持ローラの軸線方向に沿って弾性変形させるための操作部とを備えていることを特徴としている。
【００１４】
請求項５に記載の発明は、上記請求項４において、上記操作部は、上記連結板の一部に一体的に形成された操作ボタンを有し、上記操作ボタンを上記軸線方向に沿って押圧することにより、上記連結板が上記軸線方向に沿って内側に弾性変形することを特徴としている。
【００１５】
請求項６に記載の発明は、上記請求項４において、上記操作部は、上記連結板の一部には、指を引っ掛けるためのプルタブ部が設けられており、上記プルタブ部を指で引っ張ることにより、上記連結板が上記軸線方向に沿って外側に弾性変形することを特徴としている。
【００１６】
請求項７に記載の発明は、上記請求項４において、上記操作部は、上記連結板の一部を貫通するように、上記支持ローラの軸線方向に沿って突設された支軸と、上記支軸の先端側に回動自在に取り付けられた操作レバーとからなり、上記操作レバーは、一端側が上記連結板の一部を押圧可能に取り付けられていることを特徴としている。
【００１７】
請求項８に記載の発明は、上記請求項４において、上記操作部は、上記連結板の一部を貫通するように、上記支持ローラの軸線方向に沿って同軸的に突設された支軸と、上記支軸に沿って移動可能に螺合されるナットとからなり、上記支軸の一部には、上記ナットが螺合されるねじ山が設けられていることを特徴としている。
【００１８】
請求項９に記載の発明は、上記請求項４において、上記操作部は、上記連結板を直線状態から屈曲させるための操作レバーを備えていることを特徴としている。
【００１９】
請求項１０に記載の発明は、上記請求項１ないし９のいずれか１項において、上記清掃具本体は、手によって把持されるグリップ部と、上記グリップ部の一端から引き出されるシャフトとを含み、上記支持ローラの基端側には、上記シャフトの他端が同軸的に連結されていることを特徴としている。
【００２０】
請求項１１に記載の発明は、上記請求項１ないし９のいずれか１項において、上記清掃具本体は、手によって把持されるグリップをさらに備え、上記グリップの一端側に上記支持ローラの基端側が直に連結されていることを特徴としている。
【発明の効果】
【００２１】
請求項１に記載の発明によれば、上記支持ローラのストッパーに各弾性片の自由端側を粘着テープロールの内径よりも内側に縮径させて、係止爪による係着を解除するための解除手段が設けられていることにより、例え使用途中であっても粘着テープロールを安全に取り外すことができる。
【００２２】
請求項２に記載の発明によれば、上記解除手段は、各弾性片の自由端側の互いに対向する内周面に設けられた指挿通用のツマミ部を有し、上記ツマミ部を互いに近接することにより、上記弾性片の自由端側が縮径することにより、簡単に粘着テープロールのロックを解除することができる。
【００２３】
請求項３に記載の発明によれば、端面の軸線方向の高さが漸次中央に向かって低くなるように形成されていることにより、ツマミ部同士を指で摘むのではなく、端面を指の腹で中心方向に押し込むことによっても、各ツマミ部同士が互いに近接するように弾性変形して、係止爪が内径方向に倒れ込みロックが解除される。
【００２４】
請求項４に記載の発明によれば、上記解除手段は、上記各弾性片の自由端同士を連結する連結板と、上記連結板を上記支持ローラの軸線方向に沿って弾性変形させるための操作部とを備えていることにより、連結板が軸線方向に弾性変形するのに伴い、弾性片の自由端側を縮径してロックを解除することができる。
【００２５】
請求項５に記載の発明によれば、上記操作部は、上記連結板の一部に一体的に形成された操作ボタンを有し、上記操作ボタンを上記軸線方向に沿って押圧することにより、連結板が軸線方向に沿って内側に弾性変形しロックが解除される。
【００２６】
請求項６に記載の発明によれば、上記操作部は、上記連結板の一部には、指を引っ掛けるためのプルタブ部が設けられており、上記プルタブ部を指で引っ張ることにより、上記連結板が上記軸線方向に沿って外側に弾性変形してロックが解除される。
【００２７】
請求項７に記載の発明によれば、上記操作部は、上記連結板の一部を貫通するように、上記支持ローラの軸線方向に沿って同軸的に突設された支軸と、上記支軸の先端側に回動自在に取り付けられた操作レバーとからなり、上記操作レバーは、一端側が上記連結板の一部を押圧可能に取り付けられていることにより、てこの原理で操作レバーで連結板を弾性変形させるため、より小さな力で変形させることができる。
【００２８】
請求項８に記載の発明によれば、上記操作部は、上記連結板の一部を貫通するように、上記支持ローラの軸線方向に沿って同軸的に突設された支軸と、上記支軸に沿って移動可能に螺合されるナットとからなり、上記支軸の一部には、上記ナットが螺合されるねじ山が設けられていることにより、ナットを締める動作によって連結板を弾性変形させてロックを解除させることができる。
【００２９】
請求項９に記載の発明によれば、上記操作部は、上記連結板を直線状態から屈曲にさせるための操作レバーを備えることにより、操作レバーで連結板をＳ字状などの屈曲変形させてロックを解除することができる。
【００３０】
請求項１０に記載の発明によれば、手によって把持されるグリップ部と、グリップ部の一端から引き出されるシャフトとを含み、支持ローラの基端側にシャフトの他端が同軸的に連結された清掃具本体で粘着テープロールをワンタッチで簡単に取り外すことができる。
【００３１】
請求項１１に記載の発明によれば、手によって把持されるグリップの一端側に支持ローラの基端側が直に連結されているタイプの清掃具本体であっても、粘着テープロールをワンタッチで取り外すことができる。
【図面の簡単な説明】
【００３２】
【図１】本発明の一実施形態に係る粘着式クリーナの断面図。
【図２】（ａ）上記支持ローラの使用状態を示す断面図，（ｂ）上記支持ローラの自由端側の斜視図。
【図３】（ａ）上記支持ローラの断面図，（ｂ）ツマミ部の部分拡大斜視図。
【図４】（ａ）ツマミ部の部分拡大断面図，（ｂ）ツマミ部を弾性変形させた状態の模式図。
【図５】（ａ）支持ローラの第２実施形態を示す拡大斜視図，（ｂ）拡大部分断面図および（ｃ）解除手段の操作手順を説明する説明図。
【図６】（ａ）支持ローラの第３実施形態を示す拡大斜視図，（ｂ）拡大部分断面図および（ｃ）解除手段の操作手順を説明する説明図。
【図７】（ａ）支持ローラの第４実施形態を示す拡大斜視図，（ｂ）拡大部分断面図および（ｃ）解除手段の操作手順を説明する説明図。
【図８】（ａ）支持ローラの第５実施形態を示す拡大斜視図，（ｂ）拡大部分断面図および（ｃ）解除手段の操作手順を説明する説明図。
【図９】（ａ）支持ローラの第６実施形態を示す拡大斜視図，（ｂ）拡大部分断面図および（ｃ）解除手段の操作手順を説明する説明図。
【発明を実施するための形態】
【００３３】
次に、本発明の実施形態について図面を参照しながら説明するが、本発明はこの限りではない。図１および図２に示すように、本発明の粘着式クリーナ１は、粘着面が表側を向くように巻回された粘着テープロール２と、同粘着テープロール２を回動可能に支持する清掃具本体３とを備えている。
【００３４】
この例において、粘着式クリーナ１には、清掃具本体３に粘着テープロール２を取り付けた状態で、粘着テープロール２を覆い隠すためのカバー１０が設けられている。本発明において、カバー１０は任意的事項であり、その説明は省略する。
【００３５】
粘着テープロール２は、基材の一方の面にゴミ捕捉用の粘着面を有する粘着テープを、その粘着面が表側を向くように巻芯２１に沿って多重に巻回したものからなる。粘着テープロール２には、ほぼ１周長毎に汚れた粘着テープを切り剥がすための切れ目（ともに図示しない）が設けられている。
【００３６】
本発明において、粘着テープロール２は、あくまで清掃用として粘着面が表側を向くように巻回されていればよく、粘着剤の材質や厚さ、粘着面のパターン形状、または切れ目の有無や形状などについては、任意に選択されてよい。
【００３７】
清掃具本体３は、手によって把持されるグリップ部４と、同グリップ部４の一端（図１では下端）に同軸的に連結されるシャフト５と、シャフト５の他端側に同軸的に回動可能に連結される支持ローラ６とを備えている。
【００３８】
グリップ部４は、合成樹脂製の成型品からなり、手で把持しやすいよう若干扁平な棒状に形成されている。この実施形態において、グリップ部４の上端側には、この粘着式クリーナ１を例えばフックなどの吊下具に吊り下げて保管するためのフック孔４１が設けられている。
【００３９】
この例において、グリップ部４は、合成樹脂製で断面が楕円形状のストレート棒体からなるが、金属製であってもよいし、形状はＴ字状やＬ字状などであってもよい。また、さらに手で把持しやすいように表面に凹凸や梨地処理などを施してもよく、グリップ部４の具体的な材質や形状は、仕様に応じて任意に変更されてよい。
【００４０】
図１に示すように、シャフト５は、一端側から他端側にかけて所定形状に折曲もしくは湾曲された金属棒からなる。シャフト５は、支持ローラ６を回動可能に軸支する軸支部５１と、軸支部５１からカバー１０の側面および上面中央に沿ってほぼＵ字状に折り曲げられた湾曲部５２と、湾曲部５２から折曲部５３を介してほぼ直角に折り曲げられ、グリップ部４に同軸的に接続されるステム５４とから構成されている。
【００４１】
この実施形態において、シャフト５は、金属棒を折り曲げもしくは湾曲して形成されているが、これ以外にプレス成形などで成型してもよい。また、シャフト５は金属製以外に樹脂製であってもよい。
【００４２】
図３を併せて参照して、支持ローラ６は、合成樹脂の成型品からなり、全体が粘着テープロール２の内周面に沿って挿通可能な筒状に形成されている。支持ローラ６は、粘着テープロール２の軸線方向に沿って平行に架け渡される一対の支持板６１ａ，６１ｂと、同支持板６１ａ，６１ｂの端面を覆う端板６２ａ，６２ｂとを備えている。支持板６１ａ，６１ｂおよび端板６２ａ，６２ｂは、射出成形によって一体成形されている。
【００４３】
支持板６１ａ，６１ｂは、粘着テープロール２の軸線方向に沿って延在する断面Ｔ字状の梁部材であって、回転軸線を挟んで対称に配置されている。支持板６１ａ，６１ｂの一部には、補強用のリブ６１１，６１１が軸線方向に沿って所定の間隔をもって２箇所設けられている。
【００４４】
支持板６１ａ，６１ｂは、円周方向の外接円が粘着テープロール２の内径とほぼ同じとなるように配置されている。すなわち、この例において、支持板６１ａ，６１ｂは断面Ｔ字状であり、その辺の頂点を結ぶ外接円が粘着テープロール２の内径とほぼ同じとなるように配置されている。
【００４５】
この例において、支持板６１ａ，６１ｂはともに同一形状で、断面Ｔ字状に形成されているが、外接円が粘着テープロール２の内径とほぼ同じとなるように配置されていれば、その数と形状は仕様に応じて任意であってよい。
【００４６】
端板６２ａ，６２ｂは、粘着テープロール２の内径とほぼ同径の外径を有する円盤体からなり、支持板６１ａ，６１ｂの端部を塞ぐように取り付けられている。２枚の端板６２ａ，６２ｂの内、一方の端板６２ａ（図３では左側）には、シャフト５の軸支部５１が差し込まれる軸受孔６２１が同軸的に設けられている。
【００４７】
支持板６１ａ，６１ｂを挟んで軸線方向のほぼ中央には、シャフト５の軸支部５１を軸受する軸受部６５が設けられている。軸受部６５は、支持板６１ａ，６１ｂとともに一体成形されており、内部に図示しない金属製の軸受部材が設けられている。軸受部６５に軸支部６１の先端が同軸的に差し込まれることにより、支持ローラ６は軸受部６５の軸線を中心に回動するようになっている。
【００４８】
端板６２ａには、粘着テープロール２の軸線方向の一端２２側の抜け止め用の第１ストッパー６３が設けられている。第１ストッパー６３は、端板６２ａの外周縁から粘着テープロール２の側端面２２に向かって延設されたスリーブ部６３１と、同スリーブ部６３１の先端に一体的に設けられたフランジ部６３２とを備えている。第１ストッパ−６３は、端板６２ａに樹脂で一体成形されている。
【００４９】
スリーブ部６３１は、粘着テープロール２の内周面に沿って延在する円筒状であって、粘着テープロール２の内径とほぼ同じ外径を備えている。フランジ部６３２は、粘着テープロール２の内径よりも大径な円盤体からなり、スリーブ部６３１とフランジ部６３２との段差面６３３が粘着テープロール２の端面に当接することにより、粘着テープロール２の軸線方向の移動が規制されるようになっている。
【００５０】
端板６２ｂには、粘着テープロール２の軸線方向の他端２３側の抜け止めを防止する第２ストッパー６４が設けられている。第２ストッパー６４は、端板６２ｂの外周面の一部から端板６２ｂとは離反する方向に延在する一対の弾性片６４１，６４１を備えている。
【００５１】
弾性片６４１，６４１は、端板６２ｂの中心を挟んで対称に配置された板体であって、先端が粘着テープロール２の他端２３まで延設されている。弾性片６４１，６４１は、その外接円が、粘着テープロール２の内径とほぼ同径となるような円弧状に形成されている。
【００５２】
各弾性片６４１の先端には、粘着テープロール２の他端２３を支持する係止爪６４２が設けられている。係止爪６４２は、粘着テープロール２の内周面から他端２３に沿って外径側に延在する凸片であって、弾性片６４１と係止爪６４２の段差面６４３で粘着テープロール２の他端２３を受け止めることで、粘着テープロール２の軸線方向の抜け止めを防止できるようになっている。
【００５３】
係止爪６４２の先端側（図３（ａ）では右側）には、粘着テープロール２を支持ローラ６に差し込む際に、その案内役となるテーパ面６４４が設けられている。テーパ面６４４は、係止爪６４２の先端から外径側に向かって傾斜された傾斜面であって、テーパ面６４４に沿って粘着テープロール２の巻芯２１が当接しながら移動することにより、各弾性片６４１が内側に向かって弾性変形し、粘着テープロール２がスムーズに案内される。
【００５４】
弾性片６４１の先端の内径側には、係止爪６４２の係止状態をワンタッチで解除する第１解除手段としてのツマミ部７が設けられている。図３（ｂ）を併せて参照して、ツマミ部７は、弾性片６４１の円周方向の両端から中心に向かってアーチ状に形成されており、中央に指Ｆを挿通するための挿通孔７１が設けられている。
【００５５】
各ツマミ部７は、支持ローラ６の軸線方向の中心を挟んで互いに対称に形成されており、弾性片６４１に一体成形されている。この例において、ツマミ部７はアーチ状に形成されているが、指Ｆが挿通可能な挿通孔７１を備えていれば、その他の形状も本発明に含まれる。
【００５６】
図４（ａ）を併せて参照して、各ツマミ部７は、その軸線方向の端面７２が外径側から内径側の中心に向かうにつれて、軸線方向の高さが漸次低くなるように傾斜している。これにより、ツマミ部７は中心に向かってすり鉢状に凹まされている。
【００５７】
この例において、ツマミ部７は、軸線を挟んで一対に設けられているが、ツマミ部７は少なくとも２つ設けられていればよく、例えば６０度間隔で３箇所設けられていてもよい。ツマミ部７の設置数や形状は、仕様に応じて任意に変更可能である。
【００５８】
これによれば、図４（ｂ）に示すように、一方のツマミ部７に例えば人差し指Ｆを差し込み、他方のツマミ部７に例えば親指Ｆを差し込んで指同士を互いに摘むことにより、各ツマミ部７，７同士が互いに近接するように弾性変形して、係止爪６４２，６４２が内径方向に倒れ込むことでロックが解除される。
【００５９】
また、端面７２の軸線方向の高さが漸次中央に向かって低くなるように形成されていることにより、ツマミ部７，７同士を指Ｆで摘むのではなく、端面７２を指Ｆの腹で押し付けて中心方向に押し込むことによっても、各ツマミ部７，７同士が互いに近接するように弾性変形して、係止爪６４２，６４２が内径方向に倒れ込むことでロックが解除される。
【００６０】
次に、図５（ａ）〜（ｃ）を参照して、本発明の支持ローラの第２実施形態の解除手段について説明する。なお、上述した実施形態と同一もしくは同一と見なされる箇所には、同じ参照符号を付し、その説明は省略する。
【００６１】
第２実施形態の支持ローラ６Ａには、各弾性片６４１，６４１同士を互いに近接させる方向に弾性変形させ、係止爪６４２，６４２のロックをワンタッチで解除する第２の解除手段８Ａが設けられている。
【００６２】
図５（ａ），（ｂ）に示すように、解除手段８Ａは、各弾性片６４１，６４１の先端同士に架け渡された連結板８１と、連結板８１のほぼ中央に一体成形され、ヒンジ部８１を支持ローラ６の軸線方向に沿って弾性変形されるための操作部８２とを備えている。
【００６３】
連結板８１は、手の押圧によって適度に弾性変形する薄肉板からなり、両端が弾性片６４１，６４１の内径側の先端に一体的に連結された状態で張設されている。操作部８２は、適度な剛性を有する円盤体からなり、連結板８１の中央に一体的に設けられている。操作部８２には、例えば「ＰＵＳＨ」などの操作方法を表す文字が刻印されている。
【００６４】
これによれば、図５（ｃ）に示すように、操作部８２を指で押し込むことにより、操作部８２に連結された連結板８１が内側に押し込まれる。これに伴い、連結板８１の連結端である弾性片６４１，６４１同士が内側に弾性的に折り曲げられ、ロックが解除される。
【００６５】
この例において、解除手段８Ａは操作部８２を軸線方向に押し込むことで、ロックが解除されるようになっているが、連結板８１を支持ローラ６の軸線方向に沿って弾性変形させれば、弾性片６４１，６４１同士が内側に弾性的に折り曲げられる。
【００６６】
すなわち、図６（ａ）〜（ｃ）に示すように、第３実施形態の解除手段８Ｂは、連結板８１ｂの操作部としてのプルタブ部８２ｂが設けられている。プルタブ部８２ｂは、指が挿通可能な挿通孔８３ｂを有するリング状に形成されており、連結板８１ａのほぼ中央に一体的に形成されている。なお、プルタブ部８２ｂには、引っ張る動作を想起させる「ＰＵＬＬ」などの文字が刻印されていることが好ましい。
【００６７】
図６（ｃ）に示すように、このプルタブ部８２ｂを指に引っ掛けて軸線方向に引くことにより、プルタブ部８２ｂの基端側に連結された連結板８１ｂが引っぱられる。これに伴い、弾性片６４１，６４１同士が内側に弾性的に折り曲げられ、ロックが解除される。
【００６８】
次に、支持ローラの第４実施形態の解除手段について、図７（ａ）〜（ｃ）を参照しながら説明する。この解除手段８Ｃは、上記第２、第３実施形態と同じく各弾性片６４１，６４１の先端側に架け渡された連結板８１ｃを有し、連結板８１ｃの一部には、連結板８１ｃを屈曲させる操作部８２ｃが設けられている。
【００６９】
操作部８２ｃは、連結板８１ｃのいずれか一端側寄り（この例では下端寄り）に一体的に取り付けられたベース部８３ｃと、ベース部８３の一部に連結されたレバー部８４ｃとを備えている。連結板８１ｃおよび操作部８２ｃはともに一体成形されている。
【００７０】
ベース部８３ｃは、断面Ｔ字状を呈し、Ｔ字の先端部にレバー部８４ｃが一体的に取り付けられている。これによれば、図７（ｃ）に示すように、レバー部８４ｃを手前側に引き倒すことにより、ベース部８３ｃが手前側に傾斜して直線状の連結板８１ｃがＳ字状に屈曲される。さらに、レバー部８４ｃを引き倒すことにより、連結板８１ｃが弾性変形し、各弾性片６４１，６４１が内径側に折り曲げられてロックが解除される。
【００７１】
次に、図８（ａ）〜（ｃ）を参照して解除手段の第５実施形態について説明する。この解除手段８Ｄは、上記第２、第３実施形態と同じく各弾性片６４１，６４１の先端側に架け渡された連結板８１ｄを有し、連結板８１ｄの一部には、連結板８１ｄを屈曲させる操作部８２ｄが設けられている。
【００７２】
操作部８２ｄは、端板６２ｂの中心から同軸的に突設された支軸８２ｃと、支軸の先端側に回動自在に取り付けられた操作レバー８３ｄとを備えている。支軸８２ｃは、端板６２ｂの中心から連結板８１ｄを貫くように突設されており、その先端側に回転軸によって回動可能な操作レバー８４ｄが取り付けられる。
【００７３】
操作レバー８４ｄは、くの字状に形成されたプラスチック片からなり、回転軸から先端までの長さが、回転軸から連結板８１ｄまでの距離よりも長くなるように形成されていることが好ましい。
【００７４】
これによれば、図８（ｃ）に示すように、ロックを解除するに当たっては、操作レバー８４ｄを軸線方向の手前側に引き倒すことで、てこの原理によって、操作レバー８４ｄの先端８４１が連結板８１ｄを軸線方向に沿って押し込まれ、より小さな力で各弾性片６４１，６４１を内径側に折り曲げることができる。
【００７５】
この例において、操作部８２ｄは回転式の操作レバー８４ｄが用いられているが、操作レバー８４ｄに変えて、例えば蝶ナットやアイナットを用いてもよい。すなわち、支軸８２ｃの先端にねじ山を設けて、そこに蝶ナットをねじ込み、連結板８１ｄを軸線方向に押圧するようにしてもよい。
【００７６】
次に、図９（ａ）〜（ｃ）を参照して解除手段の第６実施形態について説明する。この解除手段８Ｅは、各弾性片６４１，６４１の先端側に架け渡された一対の操作部８１ｅを備えている。
【００７７】
操作部８１ｅは、各弾性片６４１，６４１の先端の内径側から中心に向かって突設された舌片からなり、適度な剛性を備えている。この例において、操作部８１ｅは弾性片６４１，６４１と同じ合成樹脂で一体成形されている。
【００７８】
これによれば、図９（ｃ）に示すように、操作部８１ｅを指で軸線方向に押すだけで、各弾性片６４１，６４１を内側に折り曲げることができる。この例において、操作部８１ｅは舌片状に形成されているが、例えば棒状であってもよいし、Ｌ字状に形成されていてもよく、各弾性片６４１，６４１を内側に折り曲げることができる形状であれば、仕様に応じて任意に変更可能である。
【００７９】
この例において、粘着式クリーナ１は、グリップ部４の一端から引き出されたシャフト５の他端に支持ローラ６を有する清掃具本体２について例示したが、これ以外にグリップの一端に支持ローラが直に取り付けられたタイプ（例えば、本出願による特開２００７−２８９３０１号公報）の清掃具本体の自由端側に設けられてもよい。このような態様も本発明に含まれる。
【符号の説明】
【００８０】
１  粘着式クリーナ
２  粘着テープロール
３  清掃具本体
４  グリップ部
５  シャフト
６  支持ローラ
６１ａ，６１ｂ  支持板
６２ａ，６２ｂ  端板
６３  第１ストッパー
６３１  スリーブ部
６３２  係止爪
６４  第２ストッパー
６４１  弾性片
６４２  係止爪
６４３  段差面
６４４  テーパ面
６５  軸受部
【図１】
2011087684.tif 000003
【図２】
2011087684.tif 000004
【図３】
2011087684.tif 000005
【図４】
2011087684.tif 000006
【図５】
2011087684.tif 000007
【図６】
2011087684.tif 000008
【図７】
2011087684.tif 000009
【図８】
2011087684.tif 000010
【図９】
2011087684.tif 000011